(57)【要約】【課題】無線回線を介した通話の音声品質の改善を行う。【解決手段】複数の端末局と、複数の端末局と無線通信を行う基地局と、基地局に接続された統制局とを備え、端末局同士が統制局及び基地局を介して無線通信により通話可能な無線通信システムを、少なくとも１つの端末局と統制局は、音声信号を符号化又は復号化する音声コーデックを複数種類備え、統制局は、通話要求の発信元と着信先に対応付けて音声コーデック種別を音声コーデックマトリクス情報として記憶し、受信した発信元情報及び着信先情報と音声コーデックマトリクス情報とに基づき、基地局を介する無線通信に使用する音声コーデック種別を選択し、該選択した音声コーデック種別を、音声コーデックを複数種類備える端末局へ通知し、端末局は、該通知された音声コーデック種別に従って音声コーデックを選択するよう構成する。【選択図】  図１
2014060563.tif 000002
【特許請求の範囲】
【請求項１】
複数の端末局と、前記複数の端末局と無線通信を行う基地局と、前記基地局に接続された統制局とを備え、前記複数の端末局同士が前記統制局及び前記基地局を介して無線通信により通話可能な無線通信システムであって、
前記複数の端末局のうち少なくとも１つの端末局と前記統制局は、音声信号を符号化又は復号化する音声コーデックを、それぞれ複数種類備え、
前記統制局は、通話要求の発信元と着信先に対応付けて前記基地局を介する無線通信に使用する音声コーデック種別を音声コーデックマトリクス情報として記憶し、通話要求の発信元から受信した発信元情報及び着信先情報と、前記音声コーデックマトリクス情報とに基づき、前記基地局を介する無線通信に使用する音声コーデック種別を選択し、該選択した音声コーデック種別を、前記音声コーデックを複数種類備える端末局へ前記基地局を介して通知し、
前記統制局から前記音声コーデック種別を通知された端末局は、該通知された音声コーデック種別に従って、前記基地局を介して行う無線通信に使用する音声コーデックを選択することを特徴とする無線通信システム。
【請求項２】
請求項１に記載された無線通信システムであって、
前記複数の端末局は、移動可能である移動端末局と、位置が固定されている固定端末局とを備え、
前記移動端末局は、第１の音声コーデックを備え、
前記固定端末局は、前記第１の音声コーデックと、前記第１の音声コーデックよりも音声品質の良い第２の音声コーデックとを備え、
前記統制局は、前記移動端末局が前記基地局を介する無線通信を行う場合は、該無線通信に使用する音声コーデックとして前記第１の音声コーデックを選択し、前記固定端末局が他の固定端末局と前記基地局を介する無線通信を行う場合は、該無線通信に使用する音声コーデックとして前記第２の音声コーデックを選択することを特徴とする無線通信システム。
【請求項３】
請求項２に記載された無線通信システムであって、
前記統制局は、
さらに、前記固定端末局又は前記移動端末局との間で前記基地局を介する無線通信により通話可能な統制台を備え、
前記移動端末局が前記固定端末局又は前記統制台との間で前記基地局を介する無線通信を行う場合は、該無線通信に使用する音声コーデックとして前記第１の音声コーデックを選択し、
前記固定端末局が他の固定端末局と前記基地局を介する無線通信を行う場合は、該無線通信に使用する音声コーデックとして前記第２の音声コーデックを選択し、
前記統制台が前記固定端末局と前記基地局を介する無線通信を行う場合は、該無線通信に使用する音声コーデックとして前記第２の音声コーデックを選択することを特徴とする無線通信システム。
【発明の詳細な説明】
【技術分野】
【０００１】
本発明は、複数の音声コーデックを使用する無線通信システムにおいて、該複数の音声コーデックを適切に使用する技術に関するものである。
【背景技術】
【０００２】
従来の無線通信システム、例えば防災無線システムにおける音声コーデックの使用例について、図１を用いて説明する。音声コーデックとは、音声信号を符号化、及び符号化された音声信号を復号化するものであり、ハードウエア又はソフトウエアにより構成される。図１に示すように、この防災無線システムは、主として、統制局１０と基地局４０と固定端末局５０と移動端末局６０とから構成される。固定端末局５０や移動端末局６０は、それぞれ複数設けることができる。統制局１０と基地局４０は、有線やマイクロ波回線等で接続される。基地局４０と固定端末局５０や、基地局４０と移動端末局６０は、例えば２６０ＭＨｚのデジタル無線で接続される。また、固定端末局５０同士、移動端末局６０同士、固定端末局５０と移動端末局６０は、やはり２６０ＭＨｚのデジタル無線で接続される。
【０００３】
例えば、固定端末局５０（１）に接続されている内線電話機５８（１）から、固定端末局５０（２）に接続されている内線電話機５８（２）へ通話を行う場合、内線電話機５８（１）からの呼出信号が、基地局４０を介して統制局１０へ送信される。統制局１０では、基地局４０を介する無線通信であるので、音声コーデックとしてＥＬＣＥＬＰを使用するよう、固定端末局５０（１）と固定端末局５０（２）に指示する。ＥＬＣＥＬＰは、移動端末局６０が使用する音声コーデックであり、ビットレートが低いため音声の品質が比較的悪い。
【０００４】
一方、同じ固定端末局５０（１）に接続されている内線電話機５８（１）同士や、同じ固定端末局５０（１）に接続されている内線電話機５８（１）と親電話機５４（１）との間で通話を行う場合は、基地局４０を介して無線通信を行わないので、音声コーデックとしては、固定端末局５０（１）の内線電話機５８（１）や親電話機５４（１）にそれぞれ備えられているμＬａｗを使用する。μＬａｗは、ＥＬＣＥＬＰよりもビットレートが高いため、音声品質がＥＬＣＥＬＰより良いが、そのデータ量が多いため、移動端末局６０等が行う無線通信に使用することは困難である。
【０００５】
このように、同じ内線電話機５８を使用するにも拘わらず、異なる固定端末局５０間の通話の場合は、同じ固定端末局５０同士の通話の場合よりも音声品質が悪くなる。使用者は、内線電話機５８を使用する場合は、音声品質の良い有線端末間の通話であると思いがちであるが、音声品質が悪い場合と良い場合が発生するため、違和感を覚えることになる。
【０００６】
無線回線の音声品質を改善するために、基地局４０を介する無線通信について、音声品質が悪いＥＬＣＥＬＰから音声品質の良い他の音声コーデック、例えばＡＭＢＥなどに変更することも考えられるが、この変更を行うと、移動端末局６０を含め無線端末局全てについて、変更後の他の音声コーデックに対応する必要がある。また、防災無線システムでは、他の防災無線システム（他県、他市町村のシステム）からの応援通信機能があるが、他システムの無線端末がＥＬＣＥＬＰのみサポートしている場合も多く、この場合は応援通信機能が使用できなくなる。
【０００７】
下記の特許文献１には、防災無線通信システムを含む無線通信システムが開示されている。
【先行技術文献】
【特許文献】
【０００８】
【特許文献１】特開２００６−２２９６３７号公報
【発明の概要】
【発明が解決しようとする課題】
【０００９】
本発明の目的は、従来技術の問題点である無線回線を介した通話の音声品質の改善を行うことにある。
【課題を解決するための手段】
【００１０】
上記課題を解決するための、本願発明の代表的な構成は、次のとおりである。すなわち、
複数の端末局と、前記複数の端末局と無線通信を行う基地局と、前記基地局に接続された統制局とを備え、前記複数の端末局同士が前記統制局及び前記基地局を介して無線通信により通話可能な無線通信システムであって、
前記複数の端末局のうち少なくとも１つの端末局と前記統制局は、音声信号を符号化又は復号化する音声コーデックを、それぞれ複数種類備え、
前記統制局は、通話要求の発信元と着信先に対応付けて前記基地局を介する無線通信に使用する音声コーデック種別を音声コーデックマトリクス情報として記憶し、通話要求の発信元から受信した発信元情報及び着信先情報と、前記音声コーデックマトリクス情報とに基づき、前記基地局を介する無線通信に使用する音声コーデック種別を選択し、該選択した音声コーデック種別を、前記音声コーデックを複数種類備える端末局へ前記基地局を介して通知し、
前記統制局から前記音声コーデック種別を通知された端末局は、該通知された音声コーデック種別に従って、前記基地局を介して行う無線通信に使用する音声コーデックを選択することを特徴とする無線通信システム。
【発明の効果】
【００１１】
本願発明によれば、無線回線を介した通話の音声品質の改善を行うことができる。
【図面の簡単な説明】
【００１２】
【図１】本発明の実施形態における無線通信システムの構成図である。
【図２】本発明の実施形態における統制局制御装置の構成図である。
【図３】本発明の実施形態における音声コーデックマトリクス情報である。
【図４】本発明の実施形態における呼設定メッセージである。
【図５】本発明の実施形態における呼設定受付メッセージである。
【図６】本発明の実施形態におけるコーデック通知メッセージである。
【図７】本発明の実施形態における統制台から固定端末局への接続シーケンスである。
【図８】本発明の実施形態における中継交換機から移動端末局への接続シーケンスである。
【図９】本発明の実施形態における固定端末局と固定端末局間の接続シーケンスである。
【図１０】本発明の実施形態における固定端末局から移動端末局への接続シーケンスである。
【図１１】本発明の実施形態における固定端末局から統制台への接続シーケンスである。
【発明を実施するための形態】
【００１３】
（無線通信システムの構成）
本発明の実施形態の一例である無線通信システムの構成について、図１を参照しながら説明する。図１は、本発明の実施形態における無線通信システムの構成を示す図である。なお、前述の背景技術の説明において図１を用いたが、基地局を介する無線通信に使用する音声コーデックに関する事項以外は、本発明の実施形態の構成は、背景技術の構成と同様である。背景技術で既に説明したものについては適宜説明を省略する。
【００１４】
図１に示すように、本実施形態の無線通信システムは、主として、統制局１０と、基地局４０と、位置が固定された固定端末局５０と、移動可能な移動端末局６０とを備える。統制局１０と基地局４０は、本例ではアンテナ１４ａとアンテナ４４ａによりマイクロ波回線を介して接続されるが、有線接続としてもよい。基地局４０と固定端末局５０、基地局４０と移動端末局６０は、例えば２６０ＭＨｚのデジタル無線により無線通信可能なように接続される。図１では固定端末局５０は、固定端末局５０（１）と固定端末局５０（２）の２つが示されているが、１つであってもよいし３つ以上であってもよい。固定端末局５０（１）と固定端末局５０（２）を固定端末局５０と総称する。また、図１では移動端末局６０は１つであるが、２つ以上であってもよい。固定端末局５０は、他の固定端末局５０や移動端末局６０と基地局４０を介して無線通話可能であり、移動端末局６０は、他の移動端末局６０と基地局４０を介して無線通話可能である。
【００１５】
統制局１０は、統制台１２とファクシミリ１３と多重無線装置１４と統制局制御装置２０を備える。統制局制御装置２０には、統制台１２とファクシミリ１３と多重無線装置１４が接続される。多重無線装置１４には、基地局４０と無線通信を行うためのアンテナ１４ａが接続される。
統制台１２は、マイク１２ａやスピーカ１２ｂを備え、他通話のモニタ、割込み、強制切断が可能な統制機能を有し、また、電話機としての通話機能を有する有線端末局である。統制台１２は、固定端末局５０や移動端末局６０と基地局４０を介して無線通話可能である。統制台１２は、音声コーデックとしてμＬａｗを備えており、電話機として機能する場合は、マイク１２ａから入力された音声信号がμＬａｗにより符号化され、統制台１２外の他の電話機から受信した符号化された音声信号がμＬａｗにより復号化されてスピーカ１２ｂから音声出力される。
統制局制御装置２０は、統制局１０を構成する各構成部や、統制局１０全体を制御する。統制局制御装置２０の構成は後述する。
【００１６】
また、統制局制御装置２０には、中継交換機３０が接続される。中継交換機３０には、内線電話機３１とファクシミリ３２が接続される。内線電話機３１は、音声コーデックとしてμＬａｗを備えており、内線電話機３１のマイクから入力された音声信号がμＬａｗにより符号化され、他の電話機から受信した符号化された音声信号がμＬａｗにより復号化されて内線電話機３１のスピーカから音声出力される。
【００１７】
基地局４０は、制御装置４１と無線装置４２と多重無線装置４４を備え、制御装置４１は、記憶部４３を備える。無線装置４２には、固定端末局５０や移動端末局６０と無線通信を行うためのアンテナ４２ａが接続される。多重無線装置４４には、統制局１０と無線通信を行うためのアンテナ４４ａが接続される。制御装置４１は、基地局４０を構成する各構成部や、基地局４０全体を制御する。
【００１８】
固定端末局５０は、回線接続制御装置５１と無線装置５２と親電話機５４と子電話機５５とファクシミリ５６を備え、回線接続制御装置５１は記憶部５３を備える。無線装置５２には、基地局４０と無線通信を行うためのアンテナ５２ａが接続される。回線接続制御装置５１には、無線装置５２と親電話機５４と子電話機５５とファクシミリ５６とが接続される。
親電話機５４と子電話機５５は、それぞれ、音声コーデックとしてμＬａｗを備えており、それぞれのマイクから入力された音声信号がμＬａｗにより符号化され、他の電話機から受信した符号化された音声信号がμＬａｗにより復号化されてそれぞれのスピーカから音声出力される。
【００１９】
回線接続制御装置５１は、固定端末局５０を構成する各構成部や、固定端末局５０全体を制御する。また、回線接続制御装置５１は、複数種類の音声コーデック、ＥＬＣＥＬＰ、μＬａｗ、ＡＭＢＥを備えており、基地局を介する無線通信に使用する音声コーデックとして、ＥＬＣＥＬＰとＡＭＢＥの一方を使用することができる。回線接続制御装置５１は、統制局制御装置２０からの指示に基づき、基地局を介する無線通信に使用するコーデックを決定し、音声データのコーデック変換を行う。音声コーデックのビットレートは、ＥＬＣＥＬＰ、ＡＭＢＥ、μＬａｗの順に高くなり、音声データの品質も、この順に高くなる。前述したように、μＬａｗは、無線通信に使用する音声コーデックとしては適さない。
例えば、親電話機５４と移動端末局６０間で基地局４０を介して通話する場合は、回線接続制御装置５１は、統制局制御装置２０からの指示に基づき、親電話機５４でμＬａｗにより符号化された音声データをＥＬＣＥＬＰへコーデック変換して無線装置５２へ出力し、無線装置５２からの音声データをＥＬＣＥＬＰからμＬａｗへコーデック変換して親電話機５４へ出力する。
【００２０】
また、親電話機５４と統制台１２間で通話する場合は、回線接続制御装置５１は、統制局制御装置２０からの指示に基づき、親電話機５４でμＬａｗにより符号化された音声データをＡＭＢＥへコーデック変換して無線装置５２へ出力し、無線装置５２からの音声データをＡＭＢＥからμＬａｗへコーデック変換して親電話機５４へ出力する。
また、固定端末局５０（１）の親電話機５４（１）と他の固定端末局５０（２）の親電話機５４（２）との間で基地局４０を介して通話する場合は、統制局制御装置２０からの指示に基づき、回線接続制御装置５１は、親電話機５４でμＬａｗにより符号化された音声データをＡＭＢＥへコーデック変換して無線装置５２へ出力し、無線装置５２からの音声データをＡＭＢＥからμＬａｗへコーデック変換して親電話機５４へ出力する。
【００２１】
回線接続制御装置５１には、庁内交換機５７が接続され、庁内交換機５７には内線電話機５８が接続される。
内線電話機５８は、音声コーデックとしてμＬａｗを備えており、内線電話機５８のマイクから入力された音声信号がμＬａｗにより符号化され、他の電話機から受信した符号化された音声信号がμＬａｗにより復号化されて内線電話機５８のスピーカから音声出力される。
【００２２】
移動端末局６０は、制御部６１と無線部６２と記憶部６３と操作表示部６４とマイク６５とスピーカ６６を備え、電話機として機能する。無線部６２には、基地局４０と無線通信を行うためのアンテナ６２ａが接続される。制御部６１は、移動端末局６０を構成する各構成部や、移動端末局６０全体を制御する。
また、制御部６１は、音声コーデックとしてＥＬＣＥＬＰを備えており、マイク６５から入力された音声信号がＥＬＣＥＬＰにより符号化され、他の電話機から受信した符号化された音声信号がＥＬＣＥＬＰにより復号化されてスピーカ６６から音声出力される。
【００２３】
統制局制御装置２０の構成について、図２を用いて詳しく説明する。図２は、本実施形態における統制局制御装置の構成図である。
図２に示すように、統制局制御装置２０は、呼制御部２１ａ、交換制御部２１ｂ、統制台ＩＦ（インターフェース）２３、基地局ＩＦ２４、ＰＢＸ（Private Branch eXchange）−ＩＦ２５、記憶部２６を備える。呼制御部２１ａと交換制御部２１ｂは、両者を合わせて制御部２１として捉えることもできる。交換制御部２１ｂは、本無線通信システムにおける音声データの経路を設定し管理する。統制台ＩＦ２３は、統制台１２との間で、呼制御信号や音声データをやり取りする。ＰＢＸ−ＩＦ２５は、中継交換機との間で、呼制御信号や音声データをやり取りする。
【００２４】
基地局ＩＦ２４は、基地局４０との間で、呼制御信号や音声データをやり取りする。また、基地局ＩＦ２４は、後述する呼制御部２１ａからの指示に基づき音声データのコーデック変換を行うもので、例えば、統制台１２と固定端末局５０の間で通話を行う場合はμＬａｗとＡＭＢＥの間でコーデック変換を行い、統制台１２と移動端末局６０の間で通話を行う場合はμＬａｗとＥＬＣＥＬＰとの間でコーデック変換を行う。そのため、基地局ＩＦ２４は、複数種類の音声コーデック、ＥＬＣＥＬＰ、μＬａｗ、ＡＭＢＥを備えている。
【００２５】
呼制御部２１ａは、本無線通信システムにおける呼制御を行い管理する。また、呼制御部２１ａは、保守端末１６と接続され、保守端末１６からの指示やデータ入力を受付け、また、保守端末１６の表示部に各種データを表示する。また、呼制御部２１ａは、統制台１２や固定端末局５０や移動端末局６０等から通話要求が発信された場合に、該通話要求の発信元から受信した発信元情報及び着信先情報と、後述する音声コーデックマトリクス情報とに基づき、基地局４０と固定端末局５０や移動端末局６０との間の無線通話、つまり基地局４０を介する無線通話で使用する音声コーデックとして、どの音声コーデックを使用するかを選択し決定する。
【００２６】
また、呼制御部２１ａは、統制台１２や中継交換機３０から通話要求がなされた場合に、後述する呼設定メッセージを作成し、基地局ＩＦ２４へ送信する。また、呼制御部２１ａは、固定端末局５０や移動端末局６０から通話要求がなされた場合に、後述する呼設定受付メッセージを作成し、基地局ＩＦ２４へ送信する。呼制御部２１ａが作成する呼設定メッセージや呼設定受付メッセージには、基地局４０を介する無線通話で使用する音声コーデックの種別情報が含まれる。
【００２７】
また、呼制御部２１ａは、後述するコーデック通知メッセージを作成する。コーデック通知メッセージには、基地局４０を介する無線通話で使用する音声コーデックの種別情報が含まれる。なお本実施形態では、前述したように、呼設定メッセージや呼設定受付メッセージにも、基地局４０を介する無線通話で使用する音声コーデックの種別情報を含ませているので、コーデック通知メッセージを省略することも可能である。
また、呼制御部２１ａは、発信元と着信先の間で音声データの経路（パス）を形成するためのパス形成要求を作成し、交換制御部２１ｂへ送信する。パス形成要求を受信すると、交換制御部２１ｂは、パスを形成し、発信元と着信先の間の音声通話を可能とする。
【００２８】
記憶部２６は、音声コーデックマトリクス情報を記憶する。音声コーデックマトリクスは、基地局４０を介する無線通話で使用する音声コーデック種別を、通話要求の発信元と着信先に対応付けて指定したものであり、例えば、呼制御部２１ａに接続された保守端末１６から操作者が予め設定しておく。図３は、本実施形態における音声コーデックマトリクス情報である。
図３において、縦の列は通話要求元（呼の発信元）である発信側、横の行は通話要求先（呼の着信先）である着信側であり、また、ＡはＡＭＢＥ、ＥはＥＬＣＥＬＰ、−は基地局４０を介する無線通話でないことを意味する。また、発信側の固定端末局５０と着信側の固定端末局５０は、異なる固定端末局５０である。同じ固定端末局５０内の通話は、基地局４０を介する無線通話ではないので、統制局制御装置２０で通話形成されず、当該固定端末局５０の回線接続制御装置５１で通話形成される。
【００２９】
図３から判るように、発信側又は着信側が移動端末局６０である場合は、基地局４０を介する無線通話で使用する音声コーデックとしてＥＬＣＥＬＰを使用し、発信側及び着信側がいずれも移動端末局６０でない場合は、ＡＭＢＥを使用する。因みに背景技術で述べた従来例では、固定端末局５０間の通話もＥＬＣＥＬＰを使用するものである。
【００３０】
呼設定メッセージについて、図４を用いて説明する。図４は、本実施形態における呼設定メッセージである。種別のＭは必須、Ｏはオプションであるが、コーデック通知メッセージを省略する場合は、免許人固有情報も必須となる。呼設定メッセージは、個別通信の呼設定を開始するための情報である。
図４に示すように、呼設定メッセージは、呼を識別するための番号である呼番号と、呼設定メッセージであることを識別するためのメッセージ種別と、呼の発信元（発信者）の番号である発番号と、呼の着信先（着信者）の番号である着番号と、免許人固有情報とを含む。免許人固有情報は、本実施形態では、基地局４０を介する無線通話で使用する音声コーデックとしてＡＭＢＥを使用するときだけ付加され、免許人固有情報内にＡＭＢＥを使用する旨の情報が指定される。免許人固有情報は、本システムや本システムの構成品（例えば、統制局制御装置２０）の製造者が任意で設定できる情報である。
【００３１】
呼設定メッセージには、呼設定メッセージＡと呼設定メッセージＢが含まれる。
呼設定メッセージＡは、統制局制御装置２０から着信先へ送信される。呼制御部２１ａは、基地局４０を介する無線通話で使用する音声コーデックとしてＡＭＢＥを使用すべきと判断した場合に、呼設定メッセージＡの免許人固有情報にＡＭＢＥコーデックを指定して着信側に送信する。呼設定メッセージＡは、統制局制御装置２０の記憶部２６に記憶されている。
【００３２】
呼設定メッセージＢは、発信元が固定端末局５０や移動端末局６０である場合に、その発信元から基地局４０を介して統制局制御装置２０へ送信される。発信元が、統制台１２や中継交換機３０に接続された内線電話機３１である場合は、基地局４０を介するメッセージである呼設定メッセージＢは使用されず、後述する通話要求が使用される。呼設定メッセージＢには、免許人固有情報は付加されない。統制局制御装置２０は、固定端末局５０や移動端末局６０から受信した呼設定メッセージＢに基づき、上記呼設定メッセージＡを作成し、着信側に送信する。呼設定メッセージＢは、固定端末局５０の記憶部５３や移動端末局６０の記憶部６３に記憶されている。
【００３３】
呼設定受付メッセージについて、図５を用いて説明する。図５は、本実施形態における呼設定受付メッセージである。種別のＭは必須、Ｏはオプションであるが、コーデック通知メッセージを省略する場合は、免許人固有情報も必須となる。呼設定受付メッセージは、要求された呼設定が開始されたことを表示するために送信される。
図５に示すように、呼設定受付メッセージは、呼を識別するための番号である呼番号と、呼設定受付メッセージであることを識別するためのメッセージ種別と、免許人固有情報とを含む。免許人固有情報は、本実施形態では、ＡＭＢＥを使用するときだけ付加され、免許人固有情報内にＡＭＢＥを使用する旨の情報が指定される。
【００３４】
呼設定受付メッセージには、呼設定受付メッセージＡと呼設定受付メッセージＢが含まれる。呼設定受付メッセージＡは、呼設定メッセージＡへの応答であり、着信先から統制局制御装置２０へ送信される。呼設定受付メッセージＡは、固定端末局５０の記憶部５３や移動端末局６０の記憶部６３に記憶されている。
呼設定受付メッセージＢは、呼設定メッセージＢへの応答であり、発信元が固定端末局５０や移動端末局６０である場合に、該発信元へ統制局制御装置２０から送信される。この場合、呼制御部２１ａは、基地局４０を介する無線通話で使用する音声コーデックとしてＡＭＢＥを使用すべきと判断した場合に、免許人固有情報にＡＭＢＥコーデックを指定して発信元へ送信し、音声コーデックとしてＥＬＣＥＬＰを使用すべきと判断した場合に、免許人固有情報を付加しないで発信元へ送信する。呼設定受付メッセージＢは、統制局制御装置２０の記憶部２６に記憶されている。
【００３５】
コーデック通知メッセージについて、図６を用いて説明する。図６は、本実施形態におけるコーデック通知メッセージである。種別のＭは必須であることを示す。
図６に示すように、コーデック通知メッセージは、コーデック種別を含む。コーデック種別が１の場合はＥＬＣＥＬＰ、２の場合はＡＭＢＥであることを示す。
コーデック通知メッセージは、基地局４０を介する無線通話で使用する音声コーデック情報を通知するために、呼制御部２１ａが基地局ＩＦ２４へ送信するが、前述したように本実施形態では省略可能である。コーデック通知メッセージは、統制局制御装置２０の記憶部２６に記憶されている。
【００３６】
（統制台から固定端末局への通話接続シーケンス）
次に、統制台１２から固定端末局５０への通話接続シーケンスについて、図７を用いて説明する。図７は、本実施形態における統制台から固定端末局への接続シーケンスである。
まず、使用者が統制台１２を操作し、固定端末局５０宛ての通話要求を、統制台１２から統制台ＩＦ２３へ送信する（ステップＳ１０1）。統制台ＩＦ２３は、受信した通話要求に基づき、呼設定要求を呼制御部２１ａへ送信する（ステップＳ１０２）。通話要求や呼設定要求には、通話要求（呼）の発信元を示す発信元情報（発信者情報）と、通話要求（呼）の着信先を示す着信先情報（着信者情報）とが含まれる。呼制御部２１ａは、該呼設定要求に含まれる発信元情報及び着信先情報と、図３の音声コーデックマトリクスとに基づき、基地局４０と固定端末局５０との間の無線通話で使用する音声コーデックとしてＡＭＢＥを決定する（ステップＳ１０３）。
【００３７】
呼制御部２１ａは、呼設定メッセージＡに、ＡＭＢＥを指定した免許人情報を付加し、基地局ＩＦ２４へ送信する（ステップＳ１０４）。呼設定メッセージＡには、図４に示すように発信元情報（発番号）と着信先情報（着）番号が含まれる。基地局ＩＦ２４は、受信した呼設定メッセージＡを基地局４０へ送信し、基地局４０は、受信した呼設定メッセージＡを固定端末局５０へ送信する（ステップＳ１０５）。
【００３８】
基地局ＩＦ２４と固定端末局５０は、ＡＭＢＥを指定した免許人情報を付加した呼設定メッセージＡを受信することにより、基地局４０と固定端末局５０との間の無線通話で使用する音声コーデックがＡＭＢＥであることを知る。また、基地局ＩＦ２４は、呼設定メッセージＡの発信元情報と着信先情報に基づき、発信者側から送信されてくる音声データがμＬａｗで符号化されていること、及び着信者側から送信されてくる音声データがＡＭＢＥで符号化されていることを知る。
これにより、基地局ＩＦ２４と固定端末局５０は、基地局４０へ送信する音声データをμＬａｗからＡＭＢＥへコーデック変換し、基地局４０から受信する音声データをＡＭＢＥからμＬａｗへコーデック変換する。
【００３９】
固定端末局５０は、呼設定メッセージＡを受信すると、その応答として、呼設定受付メッセージＡを基地局４０へ送信し、基地局４０は、受信した呼設定受付メッセージＡを基地局ＩＦ２４へ送信する（ステップＳ１０６）。基地局ＩＦ２４は、受信した呼設定受付メッセージＡを呼制御部２１ａへ送信する（ステップＳ１０７）。呼制御部２１ａは、呼設定受付メッセージＡを受信すると呼接続可能と判断し、コーデック種別にＡＭＢＥを指定したコーデック通知メッセージを、基地局ＩＦ２４へ送信する（ステップＳ１０８）。前述したように、本実施形態では、ＡＭＢＥを指定した免許人情報を呼設定メッセージＡに付加しているので、コーデック通知メッセージを送信しなくてもよい。
【００４０】
その後、固定端末局５０から、基地局４０を介して呼出に対する応答がなされ（ステップＳ１０９）、送信元の統制台１２へ送信され（ステップＳ１１０）、統制台１２から応答確認がなされ（ステップＳ１１１）、着信先の固定端末局５０へ送信される（ステップＳ１１２）。こうして、統制台１２、統制台ＩＦ２３、呼制御部２１ａ、基地局ＩＦ２４、基地局４０、固定端末局５０間において呼出/応答/応答確認の呼接続シーケンスが行われ、該呼接続シーケンス終了後に、呼制御部２１ａは、交換制御部１２ｂへ音声データパス形成要求を行う（ステップＳ１１３）。
【００４１】
交換制御部１２ｂが音声データパス形成を行うと、統制台１２と固定端末局５０間の通話が可能となる。これにより、統制台１２のマイク１２ａから入力された音声データは、統制台１２でμＬａｗにより音声符号化され、統制台ＩＦ２３、交換制御部２１ｂを介し、基地局ＩＦ２４へ送信される。
【００４２】
基地局ＩＦ２４は、統制台１２から受信したμＬａｗの音声データをＡＭＢＥへコーデック変換し、基地局４０を介して固定端末局５０へ送信する。固定端末局５０は、受信した音声データを回線接続制御装置５１でＡＭＢＥからμＬａｗにコーデック変換し、固定端末局５０の電話機、例えば親電話機５４でμＬａｗの音声データを音声復号化し、親電話機５４のスピーカから音声出力する。
【００４３】
また、固定端末局５０の電話機、例えば親電話機５４のマイクから入力された音声データは、親電話機５４でμＬａｗにより音声符号化され、回線接続制御装置５１でμＬａｗの音声データがＡＭＢＥへコーデック変換され、基地局４０を介し、基地局ＩＦ２４へ送信される。
【００４４】
基地局ＩＦ２４は、基地局４０から受信した音声データをＡＭＢＥからμＬａｗへコーデック変換し、交換制御部２１ｂと統制台ＩＦ２３を介し、統制台１２へ送信する。統制台１２は、受信したμＬａｗの音声データを音声復号化し、統制台１２のスピーカ１２ｂから音声出力する。
以上で、統制台１２から固定端末局５０への通話接続シーケンスの説明を終了する。
なお、中継交換機３０に接続された内線電話機３１から固定端末局５０への通話接続シーケンスについては、上記図７において、統制台１２を内線電話機３１に置き換えたものと同様のシーケンスとなる。
【００４５】
（中継交換機から移動端末局への接続シーケンス）
次に、中継交換機３０に接続された内線電話機３１から移動端末局６０への通話接続シーケンスについて、図８を用いて説明する。図８は、本実施形態における中継交換機から移動端末局への接続シーケンスである。
まず、使用者が、中継交換機３０に接続された内線電話機３１から移動端末局６０を呼出すると、中継交換機３０は、移動端末局６０宛ての通話要求を、ＰＢＸ−ＩＦ２５へ送信する（ステップＳ２０1）。ＰＢＸ−ＩＦ２５は、受信した通話要求に基づき、呼設定要求を呼制御部２１ａへ送信する（ステップＳ２０２）。通話要求や呼設定要求には、発信元情報と着信先情報とが含まれる。呼制御部２１ａは、該呼設定要求に含まれる発信元情報及び着信先情報と、図３の音声コーデックマトリクスとに基づき、基地局４０と移動端末局６０との間の無線通話で使用する音声コーデックとしてＥＬＣＥＬＰを決定する（ステップＳ２０３）。
【００４６】
呼制御部２１ａは、呼設定メッセージＡに免許人情報を付加することなく、基地局ＩＦ２４へ送信する（ステップＳ２０４）。基地局ＩＦ２４は、受信した呼設定メッセージＡを基地局４０へ送信し、基地局４０は、受信した呼設定メッセージＡを移動端末局６０へ送信する（ステップＳ２０５）。
【００４７】
基地局ＩＦ２４は、免許人情報が付加されていない呼設定メッセージＡを受信することにより、基地局４０と移動端末局６０との間の無線通話で使用する音声コーデックがＥＬＣＥＬＰであることを知る。また、基地局ＩＦ２４は、呼設定メッセージＡの発信元情報と着信先情報に基づき、発信者側から送信されてくる音声データがμＬａｗで符号化されていること、及び着信者側から送信されてくる音声データがＥＬＣＥＬＰで符号化されていることを知る。
これにより、基地局ＩＦ２４は、基地局４０へ送信する音声データをμＬａｗからＥＬＣＥＬＰへコーデック変換し、基地局４０から受信する音声データをＥＬＣＥＬＰからμＬａｗへコーデック変換する。
【００４８】
移動端末局６０は、呼設定メッセージＡを受信すると、その応答として、呼設定受付メッセージＡを基地局４０へ送信し、基地局４０は、受信した呼設定受付メッセージＡを基地局ＩＦ２４へ送信する（ステップＳ２０６）。基地局ＩＦ２４は、受信した呼設定受付メッセージＡを呼制御部２１ａへ送信する（ステップＳ２０７）。呼制御部２１ａは、呼設定受付メッセージＡを受信すると呼接続可能と判断し、コーデック種別にＥＬＣＥＬＰを指定したコーデック通知メッセージを、基地局ＩＦ２４へ送信する（ステップＳ２０８）。前述したように、本実施形態では、免許人情報を呼設定メッセージＡに付加していないので、ＥＬＣＥＬＰを指定したコーデック通知メッセージを送信しなくてもよい。
【００４９】
その後、移動端末局６０から、基地局４０を介して呼出に対する応答がなされ（ステップＳ２０９）、中継交換機３０を介して送信元の内線電話機３１へ送信され（ステップＳ２１０）、内線電話機３１から中継交換機３０を介して応答確認がなされ（ステップＳ２１１）、着信先の移動端末局６０へ送信される（ステップＳ２１２）。こうして、内線電話機３１、中継交換機３０、ＰＢＸ−ＩＦ２５、呼制御部２１ａ、基地局ＩＦ２４、基地局４０、移動端末局６０間において呼出/応答/応答確認の呼接続シーケンスが行われ、該呼接続シーケンス終了後に、呼制御部２１ａは、交換制御部１２ｂへ音声データパス形成要求を行う（ステップＳ２１３）。
【００５０】
交換制御部１２ｂが音声データパス形成を行うと、内線電話機３１と移動端末局６０間の通話が可能となる。これにより、内線電話機３１のマイクから入力された音声データは、内線電話機３１でμＬａｗにより音声符号化され、中継交換機３０、ＰＢＸ−ＩＦ２５、交換制御部２１ｂを介し、基地局ＩＦ２４へ送信される。
【００５１】
基地局ＩＦ２４は、内線電話機３１から受信したμＬａｗの音声データをＥＬＣＥＬＰへコーデック変換し、基地局４０を介して移動端末局６０へ送信する。移動端末局６０は、受信したＥＬＣＥＬＰの音声データを音声復号化し、自身のスピーカから音声出力する。
【００５２】
また、移動端末局６０のマイクから入力された音声データは、移動端末局６０でＥＬＣＥＬＰにより音声符号化され、基地局４０を介し、基地局ＩＦ２４へ送信される。
基地局ＩＦ２４は、基地局４０から受信したＥＬＣＥＬＰの音声データをμＬａｗへコーデック変換し、交換制御部２１ｂとＰＢＸ−ＩＦ２５と中継交換機３０を介し、内線電話機３１へ送信する。内線電話機３１は、受信したμＬａｗの音声データを音声復号化し、自身のスピーカから音声出力する。
以上で、中継交換機３０に接続された内線電話機３１から移動端末局６０への通話接続シーケンスの説明を終了する。
なお、統制台１２から移動端末局６０への通話接続シーケンスについては、上記図８の説明において、中継交換機３０及び内線電話機３１を統制台１２に置き換えたものと同様のシーケンスとなる。
【００５３】
（固定端末局と固定端末局間の接続シーケンス）
次に、固定端末局５０（１）に接続された電話機、例えば親電話機５４（１）から、固定端末局５０（２）に接続された電話機、例えば親電話機５４（２）への通話接続シーケンスについて、図９を用いて説明する。図９は、本実施形態における固定端末局と固定端末局間の接続シーケンスである。
まず、使用者が、固定端末局５０（１）に接続された親電話機５４（１）から、固定端末局５０（２）に接続された親電話機５４（２）を呼出すると、固定端末局５０（１）は、固定端末局５０（２）宛ての通話要求を、固定端末局５０（１）の回線接続制御装置５１（１）へ送信する。回線接続制御装置５１（１）は、受信した通話要求に基づき、呼設定メッセージＢを基地局４０へ送信する。基地局４０は、受信した呼設定メッセージＢを、基地局ＩＦ２４へ送信する（ステップＳ３０1）。通話要求や呼設定メッセージＢには、前述したように発信元情報（発番号）及び着信先情報（着番号）が含まれる。基地局ＩＦ２４は、受信した呼設定メッセージＢを、呼制御部２１ａへ送信する（ステップＳ３０２）。
【００５４】
呼制御部２１ａは、受信した呼設定メッセージＢに含まれる発信元情報及び着信先情報と、図３の音声コーデックマトリクスとに基づき、基地局４０と固定端末局５０との間の無線通話で使用する音声コーデックとしてＡＭＢＥを決定する（ステップＳ３０３）。
【００５５】
呼制御部２１ａは、呼設定受付メッセージＢに、ＡＭＢＥを指定した免許人情報を付加し、基地局ＩＦ２４へ送信する（ステップＳ３０４）。呼設定受付メッセージＢには、前述したように発信元情報（発番号）及び着信先情報（着番号）が含まれる。基地局ＩＦ２４は、受信した呼設定受付メッセージＢを基地局４０へ送信し、基地局４０は、受信した呼設定受付メッセージＢを固定端末局５０（１）へ送信する（ステップＳ３０５）。
【００５６】
基地局ＩＦ２４と固定端末局５０（１）は、ＡＭＢＥを指定した免許人情報を付加した呼設定受付メッセージＢを受信することにより、基地局４０と固定端末局５０（１）との間の無線通話で使用する音声コーデックがＡＭＢＥであることを知る。
また、基地局ＩＦ２４は、呼設定受付メッセージＢの発信元情報と着信先情報に基づき、発信者側及び着信者側から送信されてくる音声データがいずれもＡＭＢＥで符号化されていることを知る。
これにより、固定端末局５０（１）は、基地局４０へ送信する音声データをμＬａｗからＡＭＢＥへコーデック変換し、基地局４０から受信する音声データをＡＭＢＥからμＬａｗへコーデック変換する。また、基地局ＩＦ２４は、基地局４０へ送信する音声データや基地局４０から受信する音声データがＡＭＢＥであるので、コーデック変換しない。
【００５７】
次に、呼制御部２１ａは、コーデック種別にＡＭＢＥを指定したコーデック通知メッセージを、基地局ＩＦ２４へ送信する（ステップＳ３０６）。前述したように、本実施形態では、ＡＭＢＥを指定した免許人情報を呼設定受付メッセージＢに付加しているので、コーデック通知メッセージを送信しなくてもよい。
【００５８】
また、呼制御部２１ａは、ＡＭＢＥを指定した免許人情報を付加した呼設定メッセージＡを作成し、基地局ＩＦ２４へ送信する（ステップＳ３０７）。呼設定メッセージＡには、前述したように発信元情報（発番号）及び着信先情報（着番号）が含まれる。基地局ＩＦ２４は、呼制御部２１ａから呼設定メッセージＡを受信すると、基地局４０を介して、固定端末局５０（２）へ送信する（ステップＳ３０８）。
固定端末局５０（２）は、ＡＭＢＥを指定した免許人情報を付加した呼設定メッセージＡを受信することにより、基地局４０と固定端末局５０（２）との間の無線通話で使用する音声コーデックがＡＭＢＥであることを知る。これにより、固定端末局５０（２）は、基地局４０へ送信する音声データをμＬａｗからＡＭＢＥへコーデック変換し、基地局４０から受信する音声データをＡＭＢＥからμＬａｗへコーデック変換する。
【００５９】
固定端末局５０（２）は、呼設定メッセージＡを受信すると、その応答として、呼設定受付メッセージＡを作成して基地局４０へ送信し、基地局４０は、受信した呼設定受付メッセージＡを基地局ＩＦ２４へ送信する（ステップＳ３０９）。基地局ＩＦ２４は、受信した呼設定受付メッセージＡを呼制御部２１ａへ送信する（ステップＳ３１０）。呼制御部２１ａは、呼設定受付メッセージＡを受信すると呼接続可能と判断し、コーデック種別にＡＭＢＥを指定したコーデック通知メッセージを、基地局ＩＦ２４へ送信する（ステップＳ３１１）。前述したように、本実施形態では、ＡＭＢＥを指定した免許人情報を呼設定メッセージＡに付加しているので、コーデック通知メッセージを送信しなくてもよい。
【００６０】
その後、固定端末局５０（２）から呼出に対する応答がなされ、基地局４０、基地局ＩＦ２４、呼制御部２１ａ、基地局ＩＦ２４、基地局４０を経由して、固定端末局５０（１）へ送信される（ステップＳ３１２〜Ｓ３１５）。続いて、この応答に対する応答確認が固定端末局５０（１）からなされ、基地局４０、基地局ＩＦ２４、呼制御部２１ａ、基地局ＩＦ２４、基地局４０を経由して、固定端末局５０（２）へ送信される（ステップＳ３１６〜Ｓ３１９）。
こうして、固定端末局５０（１）、基地局４０、基地局ＩＦ２４、呼制御部２１ａ、基地局ＩＦ２４、基地局４０、固定端末局５０（２）間において呼出/応答/応答確認の呼接続シーケンスが行われ、該呼接続シーケンス終了後に、呼制御部２１ａは、交換制御部１２ｂへ音声データパス形成要求を行う（ステップＳ３２０）。
【００６１】
交換制御部１２ｂが音声データパス形成を行うと、固定端末局５０（１）と固定端末局５０（２）間の通話が可能となる。これにより、固定端末局５０（１）の例えば親電話機５４（１）から入力された音声データは、親電話機５４（１）でμＬａｗにより音声符号化された後、固定端末局５０（１）の回線接続制御装置５１（１）でＡＭＢＥへコーデック変換され、基地局４０、基地局ＩＦ２４、交換制御部２１ｂ、基地局ＩＦ２４、基地局４０を経由して、固定端末局５０（２）へ送信される。固定端末局５０（２）は、受信したＡＭＢＥの音声データを回線接続制御装置５１（２）でμＬａｗへコーデック変換し、固定端末局５０（２）の電話機、例えば親電話機５４（２）でμＬａｗを音声復号化して、親電話機５４（２）のスピーカから音声出力する。
【００６２】
また、固定端末局５０（２）の電話機、例えば親電話機５４（２）のマイクから入力された音声データは、親電話機５４（２）でμＬａｗにより音声符号化され、回線接続制御装置５１（２）でμＬａｗの音声がＡＭＢＥへコーデック変換され、基地局４０、基地局ＩＦ２４、交換制御部２１ｂ、基地局ＩＦ２４、基地局４０を経由して、固定端末局５０（１）へ送信される。固定端末局５０（１）は、受信したＡＭＢＥの音声データを回線接続制御装置５１（１）でμＬａｗへコーデック変換し、固定端末局５０（１）の電話機、例えば親電話機５４（１）でμＬａｗを音声復号化して、親電話機５４（１）のスピーカから音声出力する。
【００６３】
（固定端末局から移動端末局への通話接続シーケンス）
固定端末局５０に接続された電話機、例えば親電話機５４から、移動端末局６０への通話接続シーケンスについて、図１０を用いて説明する。図１０は、本実施形態における固定端末局から移動端末局への接続シーケンスである。
まず、使用者が、固定端末局５０に接続された親電話機５４から、移動端末局６０を呼出すると、固定端末局５０は、移動端末局６０宛ての通話要求を、固定端末局５０の回線接続制御装置５１へ送信する。回線接続制御装置５１は、受信した通話要求に基づき、呼設定メッセージＢを基地局４０へ送信する。基地局４０は、受信した呼設定メッセージＢを、基地局ＩＦ２４へ送信する（ステップＳ４０1）。通話要求や呼設定メッセージＢには、前述したように発信元情報（発番号）及び着信先情報（着番号）が含まれる。基地局ＩＦ２４は、受信した呼設定メッセージＢを、呼制御部２１ａへ送信する（ステップＳ４０２）。
【００６４】
呼制御部２１ａは、受信した呼設定メッセージＢに含まれる発信元情報及び着信先情報と、図３の音声コーデックマトリクスとに基づき、基地局４０を介する無線通話で使用する音声コーデックとしてＥＬＣＥＬＰを決定する（ステップＳ４０３）。
呼制御部２１ａは、呼設定受付メッセージＢに免許人情報を付加することなく（つまり、使用する音声コーデックとしてＥＬＣＥＬＰを指定）、基地局ＩＦ２４へ送信する（ステップＳ４０４）。基地局ＩＦ２４は、受信した呼設定受付メッセージＢを基地局４０へ送信し、基地局４０は、受信した呼設定受付メッセージＢを固定端末局５０へ送信する（ステップＳ４０５）。
【００６５】
基地局ＩＦ２４と固定端末局５０は、免許人情報を付加していない呼設定受付メッセージＢを受信することにより、基地局４０を介する無線通話で使用する音声コーデックがＥＬＣＥＬＰであることを知る。
また、基地局ＩＦ２４は、呼設定メッセージＢの発信元情報と着信先情報に基づき、発信者側及び着信者側から送信されてくる音声データがいずれもＥＬＣＥＬＰで符号化されていることを知る。
これにより、固定端末局５０は、基地局４０へ送信する音声データをμＬａｗからＥＬＣＥＬＰへコーデック変換し、基地局４０から受信する音声データをＥＬＣＥＬＰからμＬａｗへコーデック変換する。また、基地局ＩＦ２４は、基地局４０へ送信する音声データや基地局４０から受信する音声データがＥＬＣＥＬＰであるので、コーデック変換しない。
【００６６】
次に、呼制御部２１ａは、コーデック種別にＥＬＣＥＬＰを指定したコーデック通知メッセージを、基地局ＩＦ２４へ送信する（ステップＳ４０６）。前述したように、本実施形態では、免許人情報を呼設定受付メッセージＢに付加していない（つまり、使用する音声コーデックとしてＥＬＣＥＬＰを指定）ので、コーデック通知メッセージを送信しなくてもよい。
また、呼制御部２１ａは、免許人情報を付加していない呼設定メッセージＡを、基地局ＩＦ２４へ送信する（ステップＳ４０７）。基地局ＩＦ２４は、呼制御部２１ａから呼設定メッセージＡを受信すると、基地局４０を介して、移動端末局６０へ送信する（ステップＳ４０８）。
【００６７】
移動端末局６０は、呼設定メッセージＡを受信すると、その応答として、呼設定受付メッセージＡを作成して基地局４０へ送信し、基地局４０は、受信した呼設定受付メッセージＡを基地局ＩＦ２４へ送信する（ステップＳ４０９）。基地局ＩＦ２４は、受信した呼設定受付メッセージＡを呼制御部２１ａへ送信する（ステップＳ４１０）。呼制御部２１ａは、呼設定受付メッセージＡを受信すると呼接続可能と判断し、コーデック種別にＥＬＣＥＬＰを指定したコーデック通知メッセージを、基地局ＩＦ２４へ送信する（ステップＳ４１１）。前述したように、本実施形態では、免許人情報を呼設定メッセージＡに付加していないので、コーデック通知メッセージを送信しなくてもよい。
【００６８】
その後、移動端末局６０から呼出に対する応答がなされ、基地局４０、基地局ＩＦ２４、呼制御部２１ａ、基地局ＩＦ２４、基地局４０を経由して、固定端末局５０へ送信される（ステップＳ４１２〜Ｓ４１５）。続いて、この応答に対する応答確認が固定端末局５０からなされ、基地局４０、基地局ＩＦ２４、呼制御部２１ａ、基地局ＩＦ２４、基地局４０を経由して、移動端末局６０へ送信される（ステップＳ４１６〜Ｓ４１９）。
こうして、固定端末局５０、基地局４０、基地局ＩＦ２４、呼制御部２１ａ、基地局ＩＦ２４、基地局４０、移動端末局６０間において呼出/応答/応答確認の呼接続シーケンスが行われ、該呼接続シーケンス終了後に、呼制御部２１ａは、交換制御部１２ｂへ音声データパス形成要求を行う（ステップＳ４２０）。
【００６９】
交換制御部１２ｂが音声データパス形成を行うと、固定端末局５０と移動端末局６０間の通話が可能となる。これにより、固定端末局５０の例えば親電話機５４から入力された音声データは、μＬａｗにより音声符号化された後、固定端末局５０の回線接続制御装置５１でＥＬＣＥＬＰへコーデック変換され、基地局４０、基地局ＩＦ２４、交換制御部２１ｂ、基地局ＩＦ２４、基地局４０を経由して、移動端末局６０へ送信される。移動端末局６０は、受信したＥＬＣＥＬＰの音声データを音声復号化して、自身のスピーカから音声出力する。
【００７０】
また、移動端末局６０のマイクから入力された音声データは、移動端末局６０でＥＬＣＥＬＰにより音声符号化され、基地局４０、基地局ＩＦ２４、交換制御部２１ｂ、基地局ＩＦ２４、基地局４０を経由して、固定端末局５０へ送信される。固定端末局５０は、受信したＥＬＣＥＬＰの音声データを回線接続制御装置５１でμＬａｗへコーデック変換し、固定端末局５０の電話機、例えば親電話機５４でμＬａｗを音声復号化して、親電話機５４のスピーカから音声出力する。
以上で、固定端末局から移動端末局へ通話する際の接続シーケンスの説明を終了する。
【００７１】
（移動端末局から固定端末局への通話接続シーケンス）
次に、移動端末局６０から固定端末局５０に接続された電話機、例えば親電話機５４への通話接続シーケンスについて、図１０を流用して説明する。この接続シーケンスは、上述した図１０の接続シーケンスにおいて、移動端末局６０と固定端末局５０とを入れ替えたものである。
まず、使用者が、移動端末局６０から、固定端末局５０に接続された親電話機５４を呼出すると、移動端末局６０は、呼設定メッセージＢを基地局４０へ送信する。基地局４０は、受信した呼設定メッセージＢを、基地局ＩＦ２４へ送信する（ステップＳ４０1）。基地局ＩＦ２４は、受信した呼設定メッセージＢを、呼制御部２１ａへ送信する（ステップＳ４０２）。
【００７２】
呼制御部２１ａは、受信した呼設定メッセージＢに含まれる発信元情報及び着信先情報と、図３の音声コーデックマトリクスとに基づき、基地局４０を介する無線通話で使用する音声コーデックとしてＥＬＣＥＬＰを決定する（ステップＳ４０３）。
呼制御部２１ａは、呼設定受付メッセージＢに免許人情報を付加することなく（つまり、ＥＬＣＥＬＰを指定）、基地局ＩＦ２４へ送信する（ステップＳ４０４）。基地局ＩＦ２４は、受信した呼設定受付メッセージＢを基地局４０へ送信し、基地局４０は、受信した呼設定受付メッセージＢを移動端末局６０へ送信する（ステップＳ４０５）。
【００７３】
基地局ＩＦ２４は、免許人情報を付加していない呼設定受付メッセージＢを受信することにより、基地局４０を介する無線通話で使用する音声コーデックがＥＬＣＥＬＰであることを知る。また、基地局ＩＦ２４は、呼設定メッセージＢの発信元情報と着信先情報に基づき、発信者側及び着信者側から送信されてくる音声データがいずれもＥＬＣＥＬＰで符号化されることを知る。
これにより、基地局ＩＦ２４は、基地局４０へ送信する音声データや基地局４０から受信する音声データがＥＬＣＥＬＰであるので、コーデック変換しない
【００７４】
次に、呼制御部２１ａは、コーデック種別にＥＬＣＥＬＰを指定したコーデック通知メッセージを、基地局ＩＦ２４へ送信する（ステップＳ４０６）。
また、呼制御部２１ａは、免許人情報を付加していない呼設定メッセージＡを、基地局ＩＦ２４へ送信する（ステップＳ４０７）。基地局ＩＦ２４は、呼制御部２１ａから呼設定メッセージＡを受信すると、基地局４０を介して、固定端末局５０へ送信する（ステップＳ４０８）。
【００７５】
固定端末局５０は、免許人情報を付加していない呼設定メッセージＡを受信することにより、基地局４０を介する無線通話で使用する音声コーデックがＥＬＣＥＬＰであることを知る。
これにより、固定端末局５０は、基地局４０へ送信する音声データをμＬａｗからＥＬＣＥＬＰへコーデック変換し、基地局４０から受信する音声データをＥＬＣＥＬＰからμＬａｗへコーデック変換する。
【００７６】
固定端末局５０は、呼設定メッセージＡを受信すると、その応答として、呼設定受付メッセージＡを作成して基地局４０へ送信し、基地局４０は、受信した呼設定受付メッセージＡを基地局ＩＦ２４へ送信する（ステップＳ４０９）。基地局ＩＦ２４は、受信した呼設定受付メッセージＡを呼制御部２１ａへ送信する（ステップＳ４１０）。呼制御部２１ａは、呼設定受付メッセージＡを受信すると呼接続可能と判断し、コーデック種別にＥＬＣＥＬＰを指定したコーデック通知メッセージを、基地局ＩＦ２４へ送信する（ステップＳ４１１）。
【００７７】
その後、固定端末局５０から呼出／応答（呼出に対する応答）がなされ、基地局４０、基地局ＩＦ２４、呼制御部２１ａ、基地局ＩＦ２４、基地局４０を経由して、移動端末局６０へ送信される（ステップＳ４１２〜Ｓ４１５）。続いて、この応答に対する応答確認が移動端末局６０からなされ、基地局４０、基地局ＩＦ２４、呼制御部２１ａ、基地局ＩＦ２４、基地局４０を経由して、固定端末局５０へ送信される（ステップＳ４１６〜Ｓ４１９）。
こうして、移動端末局６０、基地局４０、基地局ＩＦ２４、呼制御部２１ａ、基地局ＩＦ２４、基地局４０、固定端末局５０間において呼出/応答/応答確認の呼接続シーケンスが行われ、該呼接続シーケンス終了後に、呼制御部２１ａは、交換制御部１２ｂへ音声データパス形成要求を行う（ステップＳ４２０）。
【００７８】
交換制御部１２ｂが音声データパス形成を行うと、移動端末局６０と固定端末局５０間の通話が可能となる。これにより、移動端末局６０から入力された音声データは、ＥＬＣＥＬＰにより音声符号化された後、基地局４０、基地局ＩＦ２４、交換制御部２１ｂ、基地局ＩＦ２４、基地局４０を経由して、固定端末局５０へ送信される。そして、固定端末局５０の回線接続制御装置５１でμＬａｗへコーデック変換され、固定端末局５０の例えば親電話機５４で、μＬａｗの音声データを音声復号化して、親電話機５４のスピーカから音声出力する。
【００７９】
また、固定端末局５０の例えば親電話機５４のマイクから入力された音声データは、親電話機５４でμＬａｗに音声復号化された後、固定端末局５０の回線接続制御装置５１でＥＬＣＥＬＰへコーデック変換され、基地局４０、基地局ＩＦ２４、交換制御部２１ｂ、基地局ＩＦ２４、基地局４０を経由して、移動端末局６０へ送信される。移動端末局６０は、受信したＥＬＣＥＬＰの音声データを音声復号化して、自身のスピーカから音声出力する。
以上で、移動端末局から固定端末局へ通話する際の接続シーケンスの説明を終了する。
【００８０】
（移動端末局から移動端末局への通話接続シーケンス）
次に、移動端末局６０（１）から他の移動端末局６０（２）への通話接続シーケンスについて、図１０を流用して説明する。この接続シーケンスは、上述した図１０の接続シーケンスにおいて、発信元の固定端末局５０と着信先の移動端末局６０を、それぞれ、移動端末局６０（１）と移動端末局６０（２）へ置き換えたものである。
まず、使用者が、移動端末局６０（１）から移動端末局６０（２）を呼出すると、移動端末局６０（１）は、呼設定メッセージＢを基地局４０へ送信する。基地局４０は、受信した呼設定メッセージＢを、基地局ＩＦ２４へ送信する（ステップＳ４０1）。基地局ＩＦ２４は、受信した呼設定メッセージＢを、呼制御部２１ａへ送信する（ステップＳ４０２）。
【００８１】
呼制御部２１ａは、受信した呼設定メッセージＢに含まれる発信元情報及び着信先情報と、図３の音声コーデックマトリクスとに基づき、基地局４０を介する無線通話で使用する音声コーデックとしてＥＬＣＥＬＰを決定する（ステップＳ４０３）。
呼制御部２１ａは、呼設定受付メッセージＢに免許人情報を付加することなく（つまり、ＥＬＣＥＬＰを指定）、基地局ＩＦ２４へ送信する（ステップＳ４０４）。基地局ＩＦ２４は、受信した呼設定受付メッセージＢを基地局４０へ送信し、基地局４０は、受信した呼設定受付メッセージＢを移動端末局６０（１）へ送信する（ステップＳ４０５）。
【００８２】
基地局ＩＦ２４は、免許人情報を付加していない呼設定受付メッセージＢを受信することにより、基地局４０を介する無線通話で使用する音声コーデックがＥＬＣＥＬＰであることを知る。また、基地局ＩＦ２４は、呼設定メッセージＢの発信元情報と着信先情報に基づき、発信者側及び着信者側から送信されてくる音声データがいずれもＥＬＣＥＬＰで符号化されることを知る。
これにより、基地局ＩＦ２４は、基地局４０へ送信する音声データや基地局４０から受信する音声データがＥＬＣＥＬＰであるので、コーデック変換しない
【００８３】
次に、呼制御部２１ａは、コーデック種別にＥＬＣＥＬＰを指定したコーデック通知メッセージを、基地局ＩＦ２４へ送信する（ステップＳ４０６）。
また、呼制御部２１ａは、免許人情報を付加していない呼設定メッセージＡを、基地局ＩＦ２４へ送信する（ステップＳ４０７）。基地局ＩＦ２４は、呼制御部２１ａから呼設定メッセージＡを受信すると、基地局４０を介して、移動端末局６０（２）へ送信する（ステップＳ４０８）。
【００８４】
移動端末局６０（２）は、呼設定メッセージＡを受信すると、その応答として、呼設定受付メッセージＡを作成して基地局４０へ送信し、基地局４０は、受信した呼設定受付メッセージＡを基地局ＩＦ２４へ送信する（ステップＳ４０９）。基地局ＩＦ２４は、受信した呼設定受付メッセージＡを呼制御部２１ａへ送信する（ステップＳ４１０）。呼制御部２１ａは、呼設定受付メッセージＡを受信すると呼接続可能と判断し、コーデック種別にＥＬＣＥＬＰを指定したコーデック通知メッセージを、基地局ＩＦ２４へ送信する（ステップＳ４１１）。
【００８５】
その後、移動端末局６０（２）から呼出／応答（呼出に対する応答）がなされ、基地局４０、基地局ＩＦ２４、呼制御部２１ａ、基地局ＩＦ２４、基地局４０を経由して、移動端末局６０（１）へ送信される（ステップＳ４１２〜Ｓ４１５）。続いて、この応答に対する応答確認が移動端末局６０（１）からなされ、基地局４０、基地局ＩＦ２４、呼制御部２１ａ、基地局ＩＦ２４、基地局４０を経由して、移動端末局６０（２）へ送信される（ステップＳ４１６〜Ｓ４１９）。
こうして、移動端末局６０（１）、基地局４０、基地局ＩＦ２４、呼制御部２１ａ、基地局ＩＦ２４、基地局４０、移動端末局６０（２）間において呼出/応答/応答確認の呼接続シーケンスが行われ、該呼接続シーケンス終了後に、呼制御部２１ａは、交換制御部１２ｂへ音声データパス形成要求を行う（ステップＳ４２０）。
【００８６】
交換制御部１２ｂが音声データパス形成を行うと、移動端末局６０（１）と移動端末局６０（２）間の通話が可能となる。これにより、移動端末局６０（１）から入力された音声データは、ＥＬＣＥＬＰにより音声符号化された後、基地局４０、基地局ＩＦ２４、交換制御部２１ｂ、基地局ＩＦ２４、基地局４０を経由して、移動端末局６０（２）へ送信される。そして、移動端末局６０（２）で、ＥＬＣＥＬＰの音声データを音声復号化して、自身のスピーカから音声出力する。
【００８７】
また、移動端末局６０（２）のマイクから入力された音声データは、ＥＬＣＥＬＰにより音声符号化された後、基地局４０、基地局ＩＦ２４、交換制御部２１ｂ、基地局ＩＦ２４、基地局４０を経由して、移動端末局６０（１）へ送信される。移動端末局６０（１）は、受信したＥＬＣＥＬＰの音声データを音声復号化して、自身のスピーカから音声出力する。
以上で、移動端末局から他の移動端末局へ通話する際の接続シーケンスの説明を終了する。
【００８８】
（固定端末局から統制台への通話接続シーケンス）
次に、固定端末局５０から統制台１２への通話接続シーケンスについて、図１１を用いて説明する。図１１は、固定端末局５０から統制台１２への通話接続シーケンスである。
まず、使用者が、固定端末局５０に接続された親電話機５４から、統制台１２を呼出すると、親電話機５４は、統制台１２宛ての通話要求を、固定端末局５０の回線接続制御装置５１へ送信する。回線接続制御装置５１は、受信した通話要求に基づき、呼設定メッセージＢを基地局４０へ送信する。基地局４０は、受信した呼設定メッセージＢを、基地局ＩＦ２４へ送信する（ステップＳ５０1）。通話要求や呼設定メッセージＢには、前述したように発信元情報（発番号）及び着信先情報（着番号）が含まれる。基地局ＩＦ２４は、受信した呼設定メッセージＢを、呼制御部２１ａへ送信する（ステップＳ５０２）。
【００８９】
呼制御部２１ａは、受信した呼設定メッセージＢに含まれる発信元情報及び着信先情報と、図３の音声コーデックマトリクスとに基づき、基地局４０と固定端末局５０との間の無線通話で使用する音声コーデックとしてＡＭＢＥを決定する（ステップＳ５０３）。
【００９０】
呼制御部２１ａは、呼設定受付メッセージＢに、ＡＭＢＥを指定した免許人情報を付加し、基地局ＩＦ２４へ送信する（ステップＳ５０４）。基地局ＩＦ２４は、受信した呼設定受付メッセージＢを基地局４０へ送信し、基地局４０は、受信した呼設定受付メッセージＢを固定端末局５０へ送信する（ステップＳ５０５）。
【００９１】
基地局ＩＦ２４と固定端末局５０は、ＡＭＢＥを指定した免許人情報を付加した呼設定受付メッセージＢを受信することにより、基地局４０と固定端末局５０との間の無線通話で使用する音声コーデックがＡＭＢＥであることを知る。
また、基地局ＩＦ２４は、呼設定メッセージＢの発信元情報と着信先情報に基づき、発信者側から送信されてくる音声データがＡＭＢＥで符号化され、着信者側から送信されてくる音声データがμＬａｗで符号化されていることを知る。
これにより、固定端末局５０は、基地局４０へ送信する音声データをμＬａｗからＡＭＢＥへコーデック変換し、基地局４０から受信する音声データをＡＭＢＥからμＬａｗへコーデック変換する。また、基地局ＩＦ２４は、基地局４０から受信する音声データをＡＭＢＥからμＬａｗへコーデック変換し、統制台１２から受信する音声データをμＬａｗからＡＭＢＥへコーデック変換する。
【００９２】
次に、呼制御部２１ａは、コーデック種別にＡＭＢＥを指定したコーデック通知メッセージを、基地局ＩＦ２４へ送信する（ステップＳ５０６）。
また、呼制御部２１ａは、ＡＭＢＥを指定した免許人情報を付加した呼設定メッセージＡを作成し、統制台ＩＦ２３を介して、統制台１２へ送信する（ステップＳ５０７）。
【００９３】
統制台１２は、呼設定メッセージＡを受信すると、その応答として、呼設定受付メッセージＡを作成し、統制台ＩＦ２３を介して、呼制御部２１ａへ送信する（ステップＳ５０８）。呼制御部２１ａは、呼設定受付メッセージＡを受信すると呼接続可能と判断し、コーデック種別にＡＭＢＥを指定したコーデック通知メッセージを、基地局ＩＦ２４へ送信する（ステップＳ５１１）。
【００９４】
その後、統制台１２から呼出に対する応答がなされ、統制台ＩＦ２３、呼制御部２１ａ、基地局ＩＦ２４、基地局４０を経由して、固定端末局５０へ送信される（ステップＳ５１３〜Ｓ５１５）。続いて、この応答に対する応答確認が固定端末局５０からなされ、基地局４０、基地局ＩＦ２４、呼制御部２１ａ、統制台ＩＦ２３を経由して、統制台１２へ送信される（ステップＳ５１６〜Ｓ５１８）。
こうして、固定端末局５０、基地局４０、基地局ＩＦ２４、呼制御部２１ａ、統制台ＩＦ２３、統制台１２間において呼出/応答/応答確認の呼接続シーケンスが行われ、該呼接続シーケンス終了後に、呼制御部２１ａは、交換制御部１２ｂへ音声データパス形成要求を行う（ステップＳ５２０）。
【００９５】
交換制御部１２ｂが音声データパス形成を行うと、固定端末局５０と統制台１２間の通話が可能となる。これにより、固定端末局５０の例えば親電話機５４から入力された音声データは、親電話機５４でμＬａｗにより音声符号化された後、固定端末局５０の回線接続制御装置５１でＡＭＢＥへコーデック変換され、基地局４０を介して、基地局ＩＦ２４へ送信される。基地局ＩＦ２４は、受信したＡＭＢＥの音声データをμＬａｗへコーデック変換する。μＬａｗへコーデック変換された音声データは、交換制御部２１ｂ、統制台ＩＦ２３を経由して、統制台１２へ送信される。統制台１２は、受信したμＬａｗの音声データを音声復号化して、自身のスピーカ１２ｂから音声出力する。
【００９６】
また、統制台１２のマイク１２ａから入力された音声データは、統制台１２でμＬａｗにより音声符号化され、統制台ＩＦ２３と交換制御部２１ｂを経由して基地局ＩＦ２４へ送信される。基地局ＩＦ２４でμＬａｗの音声データがＡＭＢＥへコーデック変換され、基地局４０を経由して、固定端末局５０へ送信される。固定端末局５０は、受信したＡＭＢＥの音声データを回線接続制御装置５１でμＬａｗへコーデック変換し、固定端末局５０の電話機、例えば親電話機５４でμＬａｗを音声復号化して、親電話機５４のスピーカから音声出力する。
以上で、固定端末局５０から統制台１２へ通話する際の接続シーケンスの説明を終了する。なお、固定端末局から中継交換機３０に接続された内線電話機３１へ通話する際の接続シーケンスについては、上記図１１の説明において、統制台１２を中継交換機３０及び内線電話機３１に置き換えたものと同様のシーケンスとなる。
【００９７】
（移動端末局から統制台への通話接続シーケンス）
次に、移動端末局６０から統制台１２への通話接続シーケンスについて、図１１を流用して説明する。この接続シーケンスは、上述した図１１の接続シーケンスにおいて、発信元の固定端末局５０を移動端末局６０へ置き換えたものであり、基地局４０を介する無線通話で使用する音声コーデックとしてＡＭＢＥでなくＥＬＣＥＬＰを使用する。
まず、使用者が、移動端末局６０から統制台１２を呼出すると、移動端末局６０は、統制台１２宛ての呼設定メッセージＢを基地局４０へ送信する。基地局４０は、受信した呼設定メッセージＢを、基地局ＩＦ２４へ送信する（ステップＳ５０1）。基地局ＩＦ２４は、受信した呼設定メッセージＢを、呼制御部２１ａへ送信する（ステップＳ５０２）。
【００９８】
呼制御部２１ａは、受信した呼設定メッセージＢに含まれる発信元情報及び着信先情報と、図３の音声コーデックマトリクスとに基づき、基地局４０と移動端末局６０との間の無線通話で使用する音声コーデックとしてＥＬＣＥＬＰを決定する（ステップＳ５０３）。
【００９９】
呼制御部２１ａは、免許人情報を付加しない（つまり、ＥＬＣＥＬＰを指定した）呼設定受付メッセージＢを、基地局ＩＦ２４へ送信する（ステップＳ５０４）。基地局ＩＦ２４は、受信した呼設定受付メッセージＢを基地局４０へ送信し、基地局４０は、受信した呼設定受付メッセージＢを移動端末局６０へ送信する（ステップＳ５０５）。
【０１００】
基地局ＩＦ２４は、ＥＬＣＥＬＰを指定した呼設定受付メッセージＢを受信することにより、基地局４０と移動端末局６０との間の無線通話で使用する音声コーデックがＥＬＣＥＬＰであることを知る。
また、基地局ＩＦ２４は、呼設定受付メッセージＢの発信元情報と着信先情報に基づき、発信者側から送信されてくる音声データがＥＬＣＥＬＰで符号化され、着信者側から送信されてくる音声データがμＬａｗで符号化されていることを知る。
これにより、基地局ＩＦ２４は、基地局４０から受信する音声データをＥＬＣＥＬＰからμＬａｗへコーデック変換し、統制台１２から受信する音声データをμＬａｗからＥＬＣＥＬＰへコーデック変換する。
【０１０１】
次に、呼制御部２１ａは、コーデック種別にＥＬＣＥＬＰを指定したコーデック通知メッセージを、基地局ＩＦ２４へ送信する（ステップＳ５０６）。
また、呼制御部２１ａは、ＥＬＣＥＬＰを指定した呼設定メッセージＡを作成し、統制台ＩＦ２３を介して、統制台１２へ送信する（ステップＳ５０７）。
【０１０２】
統制台１２は、呼設定メッセージＡを受信すると、その応答として、呼設定受付メッセージＡを作成し、統制台ＩＦ２３を介して、呼制御部２１ａへ送信する（ステップＳ５０８）。呼制御部２１ａは、呼設定受付メッセージＡを受信すると呼接続可能と判断し、コーデック種別にＥＬＣＥＬＰを指定したコーデック通知メッセージを、基地局ＩＦ２４へ送信する（ステップＳ５１１）。
【０１０３】
その後、統制台１２から呼出に対する応答がなされ、統制台ＩＦ２３、呼制御部２１ａ、基地局ＩＦ２４、基地局４０を経由して、移動端末局６０へ送信される（ステップＳ５１３〜Ｓ５１５）。続いて、この応答に対する応答確認が移動端末局６０からなされ、基地局４０、基地局ＩＦ２４、呼制御部２１ａ、統制台ＩＦ２３を経由して、統制台１２へ送信される（ステップＳ５１６〜Ｓ５１８）。
こうして、移動端末局６０、基地局４０、基地局ＩＦ２４、呼制御部２１ａ、統制台ＩＦ２３、統制台１２間において呼出/応答/応答確認の呼接続シーケンスが行われ、該呼接続シーケンス終了後に、呼制御部２１ａは、交換制御部１２ｂへ音声データパス形成要求を行う（ステップＳ５２０）。
【０１０４】
交換制御部１２ｂが音声データパス形成を行うと、移動端末局６０と統制台１２間の通話が可能となる。これにより、移動端末局６０のマイクから入力された音声データは、ＥＬＣＥＬＰに音声符号化された後、基地局４０を介して、基地局ＩＦ２４へ送信される。基地局ＩＦ２４は、受信したＥＬＣＥＬＰの音声データをμＬａｗへコーデック変換する。μＬａｗへコーデック変換された音声データは、交換制御部２１ｂ、統制台ＩＦ２３を経由して、統制台１２へ送信される。統制台１２は、受信したμＬａｗの音声データを音声復号化して、自身のスピーカ１２ｂから音声出力する。
【０１０５】
また、統制台１２のマイク１２ａから入力された音声データは、統制台１２でμＬａｗにより音声符号化され、統制台ＩＦ２３と交換制御部２１ｂを経由して基地局ＩＦ２４へ送信される。基地局ＩＦ２４でμＬａｗの音声データがＥＬＣＥＬＰへコーデック変換され、基地局４０を経由して、移動端末局６０へ送信される。移動端末局６０は、受信したＥＬＣＥＬＰの音声データを音声復号化して、自身のスピーカから音声出力する。
以上で、移動端末局６０から統制台１２へ通話する際の接続シーケンスの説明を終了する。なお、移動端末局６０から中継交換機３０に接続された内線電話機３１へ通話する際の接続シーケンスについては、上記図１１の説明において、統制台１２を中継交換機３０及び内線電話機３１に置き換えたものと同様のシーケンスとなる。
【０１０６】
本実施形態によれば、少なくとも次の効果を得ることができる。
（１）端末局と統制局が備える複数の音声コーデックから、基地局を介する無線通話の音声コーデックとして、適切な音声コーデックを選択することができる。したがって、基地局を介する無線通話の音声品質を従来よりも良くすることができる。
（２）基地局を介する無線通話の音声コーデックとして、移動端末局以外の端末が通話相手である場合に、移動端末局が通話相手である場合よりも音声品質の良いコーデックを使用することができる。その結果、移動端末局以外の端末が通話相手である場合、つまり、固定端末局同士の通話や、固定端末局と統制台との間の通話や、固定端末局と中継交換機に接続された内線電話機との間の通話の場合の音声品質を、移動端末局が通話相手である場合の音声品質よりも良くすることができる。
（３）移動端末局の音声コーデックを従来通りのＥＬＣＥＬＰとしているので、応援通信モードに切り替わったときにおいて、音声コーデックがＥＬＣＥＬＰである他県や他市町村の無線端末を用いることが可能となる。
（４）統制局が、通話の発信元と着信先に応じて音声コーデック種別を指定する音声コーデックマトリクス情報を記憶し、通話の発信元から受信した発信元情報及び着信先情報と、音声コーデックマトリクス情報とに基づき、当該通話に使用する音声コーデック種別を決定するよう構成したので、音声コーデックマトリクス情報を変更することにより、通話の発信元と着信先に対応させた音声コーデック種別を変更することができる。したがって、例えば、移動端末局や固定端末局の備える音声コーデックが変更になったときにも、容易に対応することができる。
（５）音声コーデックマトリクス情報の変更は、例えば保守端末を統制局に接続し、保守端末から音声コーデックマトリクス情報を書き換えることにより行うことができる。
（６）固定端末局同士の通話の場合と、固定端末局と統制台との間の通話の場合と、固定端末局と中継交換機に接続された内線電話機との間の通話の場合において、基地局を介する無線通話の音声コーデックとして同じＡＭＢＥを用いているので、使用者が上記の各場合の音声品質に違和感を覚えることが抑制できる。
【０１０７】
なお、本発明は、上述した実施形態に限定されるものではなく、種々変形、組み合わせて実施することができる。
例えば、上述の実施形態では、統制局と固定端末局にそれぞれ、ＥＬＣＥＬＰとμＬａｗとＡＭＢＥを備え、例えば固定端末局間の通話において基地局を介する無線通信に使用する音声コーデックとしてＡＭＢＥを選択するよう構成したが、ＡＭＢＥ以外の音声コーデックを使用する形態も可能である。また、上述の実施形態において、μＬａｗの代わりにＡＭＢＥを使用する形態も可能である。
また、上述した実施形態では、統制局と固定端末局間及び固定端末局と固定端末局間の通話にのみ高ビットレートで高音質の音声コーデックを用いる場合を説明した。しかし、例えば、特定の移動端末局や半固定端末局が複数の音声コーデックを備えるように構成して、本発明を適用してもよい。
【０１０８】
また、本発明は、本発明に係る処理を実行するシステムとしてだけでなく、装置、方法として、或いは、このような方法やシステムを実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。例えば、上述した統制局制御装置２０を構成する呼制御部２１ａや交換制御部２１ｂや統制台ＩＦ２３や基地局ＩＦ２４やＰＢＸ−ＩＦ２５、あるいは固定端末局５０の回線接続制御装置５１等の各構成部は、それぞれ、ＣＰＵ（Central Processing Unit）と各構成部の動作プログラム等を格納するメモリを備え、それぞれのＣＰＵは、その動作プログラムに従って動作するよう構成してもよく、あるいは、ＣＰＵを用いないハードウエア回路として構成してもよい。
【０１０９】
本明細書には、少なくとも次の構成が含まれる。すなわち、
第１の構成は、
複数の端末局と、前記複数の端末局と無線通信を行う基地局と、前記基地局に接続された統制局とを備え、前記複数の端末局同士が前記統制局及び前記基地局を介して無線通信により通話可能な無線通信システムであって、
前記複数の端末局のうち少なくとも１つの端末局と前記統制局は、音声信号を符号化又は復号化する音声コーデックを、それぞれ複数種類備え、
前記統制局は、通話要求の発信元と着信先に対応付けて前記基地局を介する無線通信に使用する音声コーデック種別を音声コーデックマトリクス情報として記憶し、通話要求の発信元から受信した発信元情報及び着信先情報と、前記音声コーデックマトリクス情報とに基づき、前記基地局を介する無線通信に使用する音声コーデック種別を選択し、該選択した音声コーデック種別を、前記音声コーデックを複数種類備える端末局へ前記基地局を介して通知し、
前記統制局から前記音声コーデック種別を通知された端末局は、該通知された音声コーデック種別に従って、前記基地局を介して行う無線通信に使用する音声コーデックを選択することを特徴とする無線通信システム。
【０１１０】
第２の構成は、上記第１の構成の無線通信システムであって、
前記複数の端末局は、移動可能である移動端末局と、位置が固定されている固定端末局とを備え、
前記移動端末局は、第１の音声コーデックを備え、
前記固定端末局は、前記第１の音声コーデックと、前記第１の音声コーデックよりも音声品質の良い第２の音声コーデックとを備え、
前記統制局は、前記移動端末局が前記基地局を介する無線通信を行う場合は、該無線通信に使用する音声コーデックとして前記第１の音声コーデックを選択し、前記固定端末局が他の固定端末局と前記基地局を介する無線通信を行う場合は、該無線通信に使用する音声コーデックとして前記第２の音声コーデックを選択することを特徴とする無線通信システム。
【０１１１】
第３の構成は、前記第２の構成の無線通信システムであって、
前記統制局は、
さらに、前記固定端末局又は前記移動端末局との間で前記基地局を介する無線通信により通話可能な統制台を備え、
前記移動端末局が前記固定端末局又は前記統制台との間で前記基地局を介する無線通信を行う場合は、該無線通信に使用する音声コーデックとして前記第１の音声コーデックを選択し、
前記固定端末局が他の固定端末局と前記基地局を介する無線通信を行う場合は、該無線通信に使用する音声コーデックとして前記第２の音声コーデックを選択し、
前記統制台が前記固定端末局と前記基地局を介する無線通信を行う場合は、該無線通信に使用する音声コーデックとして前記第２の音声コーデックを選択することを特徴とする無線通信システム。
【０１１２】
第４の構成は、前記第２の構成の無線通信システムであって、
前記統制局は、さらに、前記固定端末局又は前記移動端末局との間で前記基地局を介する無線通信により通話可能な統制台を備え、
前記統制台は、前記第１の音声コーデックよりも音声品質の良く、前記第２の音声コーデックよりも音声品質の悪い第３の音声コーデックを備え、
前記固定端末局は、さらに前記第３の音声コーデックを備え、
前記統制局は、
前記移動端末局が前記固定端末局又は前記統制台との間で前記基地局を介する無線通信を行う場合は、該無線通信に使用する音声コーデックとして前記第１の音声コーデックを選択し、前記基地局を介して前記移動端末局又は前記移動端末局の通話相手から受信した、前記第１の音声コーデックで符号化された音声データを、コーデック変換せずに、前記基地局を介して前記移動端末局の通話相手又は前記移動端末局へ送信し、
前記固定端末局が他の固定端末局との間で前記基地局を介する無線通信を行う場合は、該無線通信に使用する音声コーデックとして前記第２の音声コーデックを選択し、前記基地局を介して前記固定端末局から受信した前記第２の音声コーデックで符号化された音声データを、コーデック変換せずに、前記基地局を介して通話相手の固定端末局へ送信し、
前記統制台が前記固定端末局との間で前記基地局を介する無線通信を行う場合は、該無線通信に使用する音声コーデックとして前記第２の音声コーデックを選択し、前記統制台から受信した前記第３の音声コーデックで符号化された音声データを、前記第２の音声コーデックへ変換し前記基地局を介して前記固定端末局へ送信し、前記基地局を介して前記固定端末局から受信した前記第２の音声コーデックで符号化された音声データを、前記第３の音声コーデックへ変換して前記統制台へ送信することを特徴とする無線通信システム。
ここで、例えば、第１の音声コーデックはＥＬＣＥＬＰであり、第２の音声コーデックはＡＭＢＥであり、第３の音声コーデックはμＬａｗである。
【符号の説明】
【０１１３】
１０…統制局、１２…統制台、１２ａ…マイク、１２ｂ…スピーカ、１３…ＦＡＸ、１４…多重無線装置、１４ａ…アンテナ、１６…保守端末、２０…統制局制御装置、２１ａ…呼制御部、２１ｂ…交換制御部、２３…統制台ＩＦ、２４…基地局ＩＦ、２５…ＰＢＸ−ＩＦ、２６…記憶部、３０…中継交換機、３１…内線電話機、３２…ＦＡＸ、４０…基地局、４１…基地局制御装置、４２…無線装置、４２ａ…アンテナ、４３…記憶部、４４…多重無線装置、４４ａ…アンテナ、５０…固定端末局、５１…回線接続制御装置、５２…無線装置、５２ａ…アンテナ、５３…記憶部、５４…親電話機、５５…子電話機、５６…ＦＡＸ、５７…庁内交換機、５８…内線電話機、６０…移動端末局、６１…制御部、６２…無線部、６２ａ…アンテナ、６３…記憶部、６４…操作表示部、６５…マイク、６６…スピーカ。
【図１】
2014060563.tif 000003
【図２】
2014060563.tif 000004
【図３】
2014060563.tif 000005
【図４】
2014060563.tif 000006
【図５】
2014060563.tif 000007
【図６】
2014060563.tif 000008
【図７】
2014060563.tif 000009
【図８】
2014060563.tif 000010
【図９】
2014060563.tif 000011
【図１０】
2014060563.tif 000012
【図１１】
2014060563.tif 000013